(57)【要約】【課題】複数の版胴を有する、孔版印刷装置等の印刷装置であって、複数の版胴を連動して駆動することが可能であるとともに、使用されない版胴があるときのエネルギー等の無駄を防止ないし抑制する印刷装置の提供。【解決手段】複数の版胴１Ａ，１Ｂと、複数の版胴１Ａ，１Ｂを連動して駆動することが可能な駆動力伝達手段４９と、駆動力伝達手段４９による、複数の版胴１Ａ，１Ｂに含まれる少なくとも１つの版胴１Ｂへの駆動力の伝達を遮断する駆動遮断手段７０とを有する印刷装置１００、この印刷装置１００を用いる印刷方法。【選択図】図３
2009018459.tif 000002
【特許請求の範囲】
【請求項１】
複数の版胴と、
前記複数の版胴を連動して駆動することが可能な駆動力伝達手段と、
前記駆動力伝達手段による、前記複数の版胴に含まれる少なくとも１つの版胴への駆動力の伝達を遮断する駆動遮断手段とを有する印刷装置。
【請求項２】
請求項１記載の印刷装置において、
前記複数の版胴のそれぞれに対向し、対向する版胴上の孔版原紙にシートを押圧する複数の押圧体を備え、
前記駆動遮断手段が前記伝達を遮断するとき、伝達が遮断された版胴に対向する前記押圧体の作動を停止することを特徴とする印刷装置。
【請求項３】
請求項１又は２記載の印刷装置において、
前記複数の版胴のそれぞれに対向し、対向する版胴上の孔版原紙からシートを剥離する複数の剥離手段を備え、
前記駆動遮断手段が前記伝達を遮断するとき、伝達が遮断された版胴に対向する前記剥離手段の作動を停止することを特徴とする印刷装置。
【請求項４】
請求項１ないし３の何れか１つに記載の印刷装置において、
前記駆動力伝達手段は、前記複数の版胴の相互間の位相を調整可能な位相調整手段を有することを特徴とする印刷装置。
【請求項５】
請求項１ないし４の何れか１つに記載の印刷装置を用いて印刷を行う印刷方法。
【発明の詳細な説明】
【技術分野】
【０００１】
本発明は、複数の版胴を有する、孔版印刷装置等の印刷装置であって、特に、複数の版胴を連動して駆動することが可能な印刷装置に関する。
【背景技術】
【０００２】
従来より、多数枚の印刷等を目的として印刷装置が用いられている。かかる印刷装置においては、近年、プレゼン用等として多色印刷を行うための方法として、色インキ毎に複数の版胴を取り替えながら印刷する印刷方法が採られている。しかし、このような印刷方法では、インキの色毎に印刷するために、排紙積載された用紙を揃え直して再度給紙部にセットすることを要し、印刷作業が面倒であるという問題があった。また、再給紙の際に、印刷された用紙に転移しているインキが、用紙の搬送部に付着堆積するため、清掃が必要になってしまうという問題もあった。また、かかる搬送部の汚染を防止しようとすると、インキを乾燥させるための時間が必要になり、能率が悪いという問題があった。
【０００３】
そこで、〔特許文献１〕、〔特許文献２〕に記載されているように、複数の版胴を備え、一回の通紙で多色印刷を行うことが可能な印刷装置が提案されている。このような印刷装置においては、〔特許文献１〕、〔特許文献２〕に記載されているように、複数の版胴が連動して駆動されるよう構成されていることが一般的である。
【０００４】
【特許文献１】特開昭６３−２７２５７９号公報
【特許文献２】特開平７−１７１２１号公報
【発明の開示】
【発明が解決しようとする課題】
【０００５】
しかし、〔特許文献１〕、〔特許文献２〕に記載されている構成のように、各版胴が必ず連動するように構成されていると、常にすべての版胴が駆動されることから、版胴の駆動に要するエネルギーに無駄が生じることがある。すなわち、例えば１色で印刷を行う場合のように、複数の版胴のうちの一部の版胴を用いて印刷を行えば足りる場合には、その版胴のみを駆動すれば良いにもかかわらず、すべての版胴が駆動され、使用しない版胴を駆動するのに要するエネルギーが無駄になるという問題である。
【０００６】
また、〔特許文献１〕、〔特許文献２〕に記載されているように、版胴の回転と版胴に対するインキの供給とが連動している構成においては、版胴の回転によってインキが劣化するため、各版胴が必ず連動するように構成されていると、使用されない版胴に供給するインキが無駄になるという問題もある。
【０００７】
また、使用されない版胴に用紙等のシートを押圧すると、シートにインキが付着するという問題がある。かといってこれを解決するために使用されない版胴に新規の孔版原紙を巻装すると、孔版原紙の無駄になる。
【０００８】
また、〔特許文献１〕、〔特許文献２〕に記載されているように、版胴には、版胴上の孔版原紙からシートを剥離するための剥離手段が備えられているが、使用されない版胴に対応する剥離手段を作動させると、作動に用いるエネルギーの無駄になる。
【０００９】
本発明は、複数の版胴を有する、孔版印刷装置等の印刷装置であって、複数の版胴を連動して駆動することが可能であるとともに、使用されない版胴があるときのエネルギー等の無駄を防止ないし抑制する印刷装置の提供を目的とする。
【課題を解決するための手段】
【００１０】
上記目的を達成するため、請求項１記載の発明は、複数の版胴と、前記複数の版胴を連動して駆動することが可能な駆動力伝達手段と、前記駆動力伝達手段による、前記複数の版胴に含まれる少なくとも１つの版胴への駆動力の伝達を遮断する駆動遮断手段とを有する印刷装置にある。
【００１１】
請求項２記載の発明は、請求項１記載の印刷装置において、前記複数の版胴のそれぞれに対向し、対向する版胴上の孔版原紙にシートを押圧する複数の押圧体を備え、前記駆動遮断手段が前記伝達を遮断するとき、伝達が遮断された版胴に対向する前記押圧体の作動を停止することを特徴とする。
【００１２】
請求項３記載の発明は、請求項１又は２記載の印刷装置において、前記複数の版胴のそれぞれに対向し、対向する版胴上の孔版原紙からシートを剥離する複数の剥離手段を備え、前記駆動遮断手段が前記伝達を遮断するとき、伝達が遮断された版胴に対向する前記剥離手段の作動を停止することを特徴とする。
【００１３】
請求項４記載の発明は、請求項１ないし３の何れか１つに記載の印刷装置において、前記駆動力伝達手段は、前記複数の版胴の相互間の位相を調整可能な位相調整手段を有することを特徴とする。
【００１４】
請求項５記載の発明は、請求項１ないし４の何れか１つに記載の印刷装置を用いて印刷を行う印刷方法にある。
【発明の効果】
【００１５】
本発明は、複数の版胴と、前記複数の版胴を連動して駆動することが可能な駆動力伝達手段と、前記駆動力伝達手段による、前記複数の版胴に含まれる少なくとも１つの版胴への駆動力の伝達を遮断する駆動遮断手段とを有する印刷装置にあるので、複数の版胴を連動して駆動することが可能であるとともに、使用されない版胴があるときはその版胴への駆動力を遮断することでエネルギーの無駄を防止ないし抑制することができ、ユーザーの使用感が高い印刷装置を提供することができる。
【００１６】
前記複数の版胴のそれぞれに対向し、対向する版胴上の孔版原紙にシートを押圧する複数の押圧体を備え、前記駆動遮断手段が前記伝達を遮断するとき、伝達が遮断された版胴に対向する前記押圧体の作動を停止することとすれば、複数の版胴を連動して駆動することが可能であるとともに、使用されない版胴があるときはその版胴への駆動力を遮断し、またその版胴に対応する押圧体の作動も停止することでエネルギーの無駄を防止ないし抑制することができ、また押圧体が版胴に当接することによる音や各部材の劣化をも抑制ないし防止でき、ユーザーの使用感が高い印刷装置を提供することができる。
【００１７】
前記複数の版胴のそれぞれに対向し、対向する版胴上の孔版原紙からシートを剥離する複数の剥離手段を備え、前記駆動遮断手段が前記伝達を遮断するとき、伝達が遮断された版胴に対向する前記剥離手段の作動を停止することとすれば、複数の版胴を連動して駆動することが可能であるとともに、使用されない版胴があるときはその版胴への駆動力を遮断し、またその版胴に対応する剥離手段の作動も停止することでエネルギーの無駄を防止ないし抑制することができ、また剥離手段が版胴に当接する構成のときには、その当接による音や各部材の劣化をも抑制ないし防止でき、ユーザーの使用感が高い印刷装置を提供することができる。
【００１８】
前記駆動力伝達手段は、前記複数の版胴の相互間の位相を調整可能な位相調整手段を有することとすれば、複数の版胴を連動して駆動することが可能であるとともに、使用されない版胴があるときはその版胴への駆動力を遮断することでエネルギーの無駄を防止ないし抑制することができ、また駆動力伝達手段が位相調整手段を兼ねることで小型化や低廉化が可能であり、ユーザーの使用感が高い印刷装置を提供することができる。
【００１９】
本発明は、かかる印刷装置を用いて印刷を行う印刷方法にあるので、上述の各効果を奏する印刷装置を用い、複数の版胴を連動して駆動することが可能であるとともに、使用されない版胴があるときはその版胴への駆動力を遮断することでエネルギーの無駄を防止ないし抑制することができ、ユーザーの使用感が高い印刷方法を提供することができる。
【発明を実施するための最良の形態】
【００２０】
図１に、本発明を適用した、白黒画像またはカラー画像を形成可能な、印刷装置としての多色孔版印刷装置である感熱デジタル製版一体型の孔版印刷装置の概略を示す。孔版印刷装置１００は、それぞれ互いに異なる色のインキにて印刷を行うための複数の版胴、具体的には、第１の版胴としての第１の印刷ドラム１Ａ及び第２の版胴としての第２の印刷ドラム１Ｂ（以下それぞれ、「印刷ドラム１Ａ」、「印刷ドラム１Ｂ」と記す。）を有している。印刷ドラム１Ａは矢印Ｚで示す用紙搬送方向（以下、「用紙搬送方向Ｚ」と記す。）の上流側に、印刷ドラム１Ｂは印刷ドラム１Ａよりも用紙搬送方向Ｚの下流側すなわち図１における左方に配置され、互いに並設されている。
【００２１】
本形態において、印刷ドラム１Ａ、１Ｂのそれぞれに対応する互いに同様の構成部材については、印刷ドラム１Ａに対応する構成部材には数字符号の末尾に符号Ａを付し、印刷ドラム１Ｂに対応する構成部材には数字符号の末尾に符号Ｂを付す。また、同一の機能及び構成を有する構成部材には、同一の数字符号を付し重複説明は極力省略する。
【００２２】
孔版印刷装置１００は、装置本体内の印刷ドラム１Ａと印刷ドラム１Ｂとの外廻りにそれぞれ、印圧部材としての押圧体であるプレスローラ２Ａ，２Ｂと、第１の製版手段、第２の製版手段としての製版給版装置３Ａ，３Ｂと、プレスローラ２Ａ，２Ｂを印刷ドラム１Ａ，１Ｂのそれぞれの外周面（以下「ドラム外周面１Ａａ」、「ドラム外周面１Ｂａ」と記す。）から離間した位置に保持する係止手段としての保持手段５Ａ，５Ｂとを有している。
【００２３】
孔版印刷装置１００はまた、シートとしての用紙３５を積載するとともに印刷ドラム１Ａ，１Ｂに向けて供給する給紙手段としての給紙装置４と、印刷ドラム１Ａと印刷ドラム１Ｂとの間に配設され、用紙３５を印刷ドラム１Ａから印刷ドラム１Ｂに向けて搬送する搬送手段としての搬送装置２１と、印刷済みの用紙３５を積載する排紙トレイ４５とを有している。
【００２４】
孔版印刷装置１００はまた、図２に示すように、使用済みマスタを印刷ドラム１Ａ、印刷ドラム１Ｂから剥離廃棄する排版装置８８Ａ，８８Ｂと、印刷ドラム１Ａ、印刷ドラム１Ｂから印刷済みの用紙３５を分離するための第１剥離手段４７Ａ，第２剥離手段４７Ｂと、原稿を読み取るスキャナ部としての原稿読取装置４６と、孔版印刷装置１００の操作を行うための所定の入力を行う操作パネル５１と、孔版印刷装置１００の動作全般を制御する制御手段９０とを有している。
【００２５】
孔版印刷装置１００はまた、図３に示すように、印刷ドラム１Ａ、印刷ドラム１Ｂのうち印刷ドラム１Ａに与えられた駆動力を印刷ドラム１Ｂに伝達して、印刷ドラム１Ａ、印刷ドラム１Ｂを連動して駆動することを可能としている駆動力伝達手段４９と、駆動力伝達手段４９による印刷ドラム１Ｂへの駆動力の伝達を遮断する駆動遮断手段７０とを有している。孔版印刷装置１００はその他、印刷ドラム１Ａ、印刷ドラム１Ｂのそれぞれの有無を検知する図示しないドラム検知手段を有している。
【００２６】
図１に示すように、印刷ドラム１Ａと印刷ドラム１Ｂとは、製版給版装置３Ａ，３Ｂ及び排版装置の下方に位置している。印刷ドラム１Ａと印刷ドラム１Ｂとは、開口部１ａ１，１ｂ１と非開口部１ａ２，１ｂ２とを有する多孔性支持円筒体１ａ，１ｂと、多孔性支持円筒体１ａ，１ｂの外周を覆う図示しない複数層のメッシュスクリーンとを有する、周知の多孔性円筒状をなす構造である。メッシュスクリーンは樹脂または金属網体等によって構成されている。
【００２７】
印刷ドラム１Ａと印刷ドラム１Ｂとはまた、ドラム外周面１Ａａ，１Ｂａの、非開口部１ａ２，１ｂ２に対応する部分に、印刷ドラム１Ａ，１Ｂの１つの母線に沿って磁性体で形成された、第１ステージ４１Ａ，第２ステージ４１Ｂと、第１ステージ４１Ａ、第２ステージ４１Ｂのそれぞれに対して開閉可能なように、回動可能に支持された第１クランパ４２Ａ，第２クランパ４２Ｂとを有している。
【００２８】
第１クランパ４２Ａと第２クランパ４２Ｂとは、図示しない開閉装置により所定位置で開閉されるようになっている。印刷ドラム１Ａと印刷ドラム１Ｂとは、ドラムフランジ２０Ａ，２０Ｂを介して第１インキパイプとしてのドラム軸２５Ａ，第２インキパイプとしてのドラム軸２５Ｂに回転自在に支持されている。ドラム軸２５Ａ，２５Ｂは、装置本体に対して着脱可能に設けられた図示しない側板対にその両端が固定されている。印刷ドラム１Ａ、印刷ドラム１Ｂは、図２に示す駆動手段としての本体モータ８１により、図１に示す矢印方向に、ドラム外周面１Ａａ，１Ｂａの回転速度Ｖ１が１０００ｍｍ／ｓとなるように回転駆動されるようになっている。
【００２９】
印刷ドラム１Ａ，１Ｂの内部にはそれぞれ、インキ溜り６２Ａ，６２Ｂを構成する第１インキローラとしてのインキローラ６０Ａ，第２インキローラとしてのインキローラ６０Ｂと、インキローラ６０Ａ，６０Ｂに僅かに隙間を設けて配設された第１ドクタローラとしてのドクタローラ６１Ａ，第２ドクタローラとしてのドクタローラ６１Ｂとがそれぞれ配置されている。インキ溜り６２Ａ，６２Ｂはそれぞれ、インキローラ６０Ａとドクタローラ６１Ａとによって形成される楔状空間，インキローラ６０Ｂとドクタローラ６１Ｂとによって形成される楔状空間に形成されている。
【００３０】
インキローラ６０Ａ，６０Ｂは、ドラム軸２５Ａ，２５Ｂが固設された側板対により、その軸部をそれぞれ回転自在に支持されており、それぞれ、図示しないギヤやベルトを備えた図示しない駆動伝達手段を介して、本体モータ８１により、印刷ドラム１Ａ，１Ｂと同期して矢印方向に回転駆動されるようになっている。インキローラ６０Ａ，６０Ｂは回転することでインキ溜り６２Ａ，６２Ｂのインキを混練して伸ばし、インキ溜り６２Ａ，６２Ｂのインキが、インキローラ６０Ａ，６０Ｂの外表面を経て、ドラム内周面に供給されるようになっている。このように、孔版印刷装置１００では、印刷ドラム１Ａ，１Ｂの回転と印刷ドラム１Ａ，１Ｂに対するインキの供給とが連動するようになっている。
【００３１】
ドラム軸２５Ａ，２５Ｂはそれぞれ、インキ供給パイプの機能を有している。ドラム軸２５Ａ，２５Ｂには、その軸方向にそれぞれ図示しない供給穴としての複数の孔が形成されている。ドラム軸２５Ａ，２５Ｂはそれぞれ、その一端が、図示しないインキポンプを介して、異なる色のインキが収納された、印刷ドラム１Ａ、印刷ドラム１Ｂの外部に設けられた図示しないインキパックに接続されている。
【００３２】
インキ溜り６２Ａ，６２Ｂのインキ量が図示しないインキセンサによって低減したことが検知されたときに、インキパック内のインキがインキポンプにより吸引され、ドラム軸２５Ａ，２５Ｂに形成された複数の孔から、インキ溜り６２Ａ，６２Ｂに供給される。インキ溜り６２Ａには黒色のインキが、インキ溜り６２Ｂには赤色のインキが、それぞれ供給されるようになっている。
【００３３】
なお、印刷ドラム１Ａと印刷ドラム１Ｂとはそれぞれ、インキローラ６０Ａ，６０Ｂとドクタローラ６１Ａ，６１Ｂとを含むインキ供給部等と一体で、ユニットとして、装置本体に対して着脱可能となっている。
【００３４】
製版給版装置３Ａ，３Ｂはそれぞれ、孔版原紙である第１のマスタとしてのマスタ３１Ａ，孔版原紙である第２のマスタとしてのマスタ３１Ｂをロール状に巻成したマスタロール３２Ａ，３２Ｂと、熱によりマスタ３１Ａ，３１Ｂの穿孔を行う第１の穿孔部材としてのサーマルヘッド３３Ａ，第２の穿孔部材としてのサーマルヘッド３３Ｂと、サーマルヘッド３３Ａ，３３Ｂに対向して配設されたプラテンローラ３４Ａ，３４Ｂと、穿孔が行われたマスタ３１Ａ，３１Ｂを切断する切断手段３５Ａ，３５Ｂと、穿孔が行われたマスタ３１Ａ，３１Ｂを搬送するマスタ搬送ローラ対３６Ａ，３６Ｂと、マスタ搬送ローラ対３６Ａ，３６Ｂによって搬送されるマスタ３１Ａ，３１Ｂを印刷ドラム１Ａ，１Ｂへと案内するガイド板３７Ａ，３７Ｂとを有している。
【００３５】
プラテンローラ３４Ａ，３４Ｂはその軸方向長さがマスタ３１Ａ，３１Ｂの幅とほぼ同じ長さに形成されており、装置本体の図示しない側板間に回転自在に支持されている。プラテンローラ３４Ａ，３４Ｂは図示しないステッピングモータから駆動力を伝達され、図１において時計回り方向に回転駆動される。
【００３６】
サーマルヘッド３３Ａ，３３Ｂはその幅がプラテンローラ３４Ａ，３４Ｂの軸方向長さよりも大きく形成されており、その上面には複数の発熱素子が配設されている。サーマルヘッド３３Ａ，３３Ｂはその発熱素子面をプラテンローラ３４Ａ，３４Ｂに圧接させるように図示しない付勢手段によって付勢されており、各発熱素子は図示しないサーマルヘッドドライバーによってその作動を個々に制御される。
【００３７】
切断手段３５Ａ，３５Ｂは、図示しない装置本体に固定されその幅がマスタ３１Ａ，３１Ｂの幅よりも長く形成された下刃３５Ａａ，３５Ｂａと、下刃３５Ａａ，３５Ｂａ上をマスタ３１Ａ，３１Ｂの幅方向に移動しつつ回転自在に設けられた上刃３５Ａｂ，３５Ｂｂとを有する周知の構成である。
【００３８】
マスタ搬送ローラ対３６Ａ，３６Ｂは、図示しない側板間に回転自在に支持された、図示しないマスタ搬送駆動手段により回転駆動される駆動ローラ３６Ａａ，３６Ｂａと、駆動ローラ３６Ａａ，３６Ｂａに圧接された従動ローラ３６Ａｂ，３６Ｂｂとを有しており、駆動ローラ３６Ａａ，３６Ｂａと従動ローラ３６Ａｂ，３６Ｂｂとによってマスタ３１Ａ，３１Ｂを挟持して搬送するものである。
【００３９】
ガイド板３７Ａ，３７Ｂは図示しない側板間に固定されている。マスタ３１Ａ，３１Ｂは、熱可塑性樹脂フィルムと、多孔質支持体とを貼り合わせたラミネート構造の孔版マスタである。熱可塑性樹脂フィルムとしては、大体１〜３μｍｍ程度の厚みのものが用いられる。多孔性支持体としては、和紙繊維、合成繊維、あるいは和紙と合成繊維とを混抄したものが用いられる。
【００４０】
保持手段５Ａ，５Ｂは、プレスローラ２Ａ、２Ｂをドラム外周面１Ａａ，１Ｂａに接離可能に支持する第１プレスローラムとしてのアーム部材４０Ａ，第２プレスローラムとしてのアーム部材４０Ｂと、アーム部材４０Ａ，４０Ｂを搖動自在に支持する軸４４Ａ，４４Ｂとを有し、これらのみを図１に示しているが、他にも、支持アーム部材４０Ａ，４０Ｂに対してそれぞれ係脱可能に設けられたストッパ、各ストッパをアーム部材４０Ａ，４０Ｂとの係止方向にそれぞれ付勢する付勢手段としての引っ張りバネ、各ストッパをアーム部材４０Ａ，４０Ｂとの離脱位置に向かって移動するストッパ駆動源としての電磁ソレノイド等を備えている。
【００４１】
アーム部材４０Ａ，４０Ｂは、一部図示を省略しているが、略Ｌ字状をなし、その屈曲部が軸４４Ａ，４４Ｂでそれぞれ揺動自在に支持されている。軸４４Ａ，４４Ｂは、図示しない筐体としての本体フレームに回転自在に支持されている。プレスローラ２Ａ，２Ｂは、アーム部材４０Ａ，４０Ｂの一端にそれぞれ回転自在に支持されている。
【００４２】
プレスローラ２Ａ，２Ｂはそれぞれ、対向する印刷ドラム１Ａ，１Ｂ上のマスタ３１Ａ，３１Ｂに用紙３５を押圧するものである。プレスローラ２Ａ，２Ｂは、芯金と、円筒形状に成形され芯金の周囲に装着された弾性体としてのニトリルゴムまたはクロロプレンゴムとを有している。アーム部材４０Ａ，４０Ｂの他端側には、アーム部材４０Ａ，４０Ｂに時計回り方向への回動習性を与えるとともに印刷ドラム１Ａ，１Ｂに対して印圧を与える働きを有するプレスローラテンションの一端が係止されている。プレスローラテンションの他端は、図示しない本体フレーム側に係止されている。
【００４３】
アーム部材４０Ａ，４０Ｂの他端にはそれぞれ、図示しないコロが配設されている。このコロは、プレスローラ２Ａ，２Ｂの外周面をそれぞれ各ドラム外周面１Ａａ，１Ｂａに対して接離させる図示しないカムの輪郭周面と圧接している。このカムは、図示しない連結機構を介して印刷ドラム１Ａ及び印刷ドラム１Ｂの回転と同期して回転するように構成されている。
【００４４】
これらの部材により、プレスローラ２Ａ，２Ｂは、ドラム外周面１Ａａ，１Ｂａから離れた離間位置と、ドラム外周面１Ａａ，１Ｂａに圧接する押圧位置との間で移動可能となっている。すなわち、プレスローラ２Ａ，２Ｂは、印刷ドラム１Ａ、印刷ドラム１Ｂに接離可能とされている。また、これらの部材により、プレスローラ２Ａ，２Ｂは、第１クランパ４２Ａ，第２クランパ４２Ｂがプレスローラ２Ａ，２Ｂとドラム外周面１Ａａ，１Ｂａとの対向領域である印刷部１８Ａ，１８Ｂを通過する際に、ドラム外周面１Ａａ，１Ｂａから離間するようになっている。
【００４５】
プレスローラ２Ａ，２Ｂは、押圧位置において、給送されてきた用紙３５をドラム外周面１Ａａ，１Ｂａに、その開口部１ａ１，１ｂ２の前縁部分より連続的に押し付けてインキ画像を用紙３５上に転写し、印刷を行う機能を有している。プレスローラ２Ａ，２Ｂは、インキ画像を用紙３５上に転写するときには、印刷ドラム１Ａ，１Ｂの回転方向における開口部１ａ１，１ｂ１形成部分の前縁から僅かに前方位置から印刷ドラム１Ａ，１Ｂに当接するように印刷ドラム１Ａ，１Ｂに近接する。
【００４６】
プレスローラ２Ａ，２Ｂを離間位置に係止しておくか、離間位置から押圧位置に向けて変位可能とするかは、各電磁ソレノイドによって制御されるものであり、各電磁ソレノイドへの通電によってプレスローラ２Ａ，２Ｂが離間位置から押圧位置に向けて変位可能な状態となる。各電磁ソレノイドへの通電は制御手段９０によって制御される。
【００４７】
図２に示した第１剥離手段４７、第２剥離手段４８は、図１に示すように、印刷ドラム１Ａ、印刷ドラム１Ｂから印刷済みの用紙３５を分離するための、第１剥離爪としての分離爪７Ａ，第２剥離爪としての分離爪７Ｂと、第１剥離ファンとしての気流発生手段１２０Ａ，第２剥離ファンとしての気流発生手段１２０Ｂとを有している。
【００４８】
分離爪７Ａ，７Ｂ及び気流発生手段１２０Ａ，１２０Ｂは、図１において印刷ドラム１Ａ，１Ｂの左方に配設されており、用紙３５をドラム外周面１Ａａ，１Ｂａ上のマスタ３１Ａ，３１Ｂからそれぞれ分離・剥離するためのものである。
【００４９】
分離爪７Ａ，７Ｂは、印刷ドラム１Ａ，１Ｂの回転方向における印刷部１８Ａ，１８Ｂの下流側からドラム外周面１Ａａ，１Ｂａにそれぞれ接近するよう配置されている。
気流発生手段１２０Ａ，１２０Ｂは、気流発生源となるファン駆動モータ６６Ａ，６６Ｂと、ファン駆動モータ６６Ａ，６６Ｂによって発生した気流を印刷部１８Ａ，１８Ｂに向けて吹き付ける噴出部６Ａ，６Ｂとを備えている。分離爪７Ａ，７Ｂは、用紙３５の幅方向に複数のものが櫛状に形成されて配置されており、噴出部６Ａ，６Ｂから供給される気流を印刷部１８，１９の近傍に通風可能に構成されている。
【００５０】
分離爪７Ａと気流発生手段１２０Ａとは、制御手段９０によって同期して駆動されるようになっている。分離爪７Ｂと気流発生手段１２０Ｂとは、制御手段９０によって同期して駆動されるようになっている。
【００５１】
給紙装置４は、装置本体の右方、言い換えると印刷ドラム１Ａの右方に配設されている。給紙装置４は、用紙３５が積載される昇降可能な給紙トレイ１０と、給紙トレイ１０に積載された用紙３５の最上位のものから送り出す給紙ローラとしての呼び出しコロ１１と、呼び出しコロ１１によって送り出された用紙３５を１枚だけ分離してさらに送る分離ローラとしての分離コロ１２及び分離部材としての分離板１４と、分離コロ１２及び分離板１４によって送られた１枚の用紙３５を、印刷部１８Ａに向けて所定のタイミングで送り出すレジストローラ対１７と、給紙トレイ１０に配設され、給紙トレイ１０に積載された用紙３５の長さを検出するための用紙長さ検出手段としての複数のセンサ１５とを有している。センサ１５による検知信号は、制御手段９０に送られるようになっている。
【００５２】
これら呼び出しコロ１１、分離コロ１２は、版付け時、印刷時、試し刷り時に、制御手段９０によって適宜後述の駆動部の駆動を制御されることで回転動作し、マスタ３１Ａ，３１Ｂの巻着後に行われる版付け時には用紙３５を１枚給紙し、印刷時や試し刷り時には設定された枚数分の印刷が終了するまで用紙３５を給紙するように構成されている。
【００５３】
レジストローラ対１７は、駆動ローラ１７ａとこれに圧接する従動ローラ１７ｂとを有しており、駆動ローラ１７ａがステッピングモータ５５によって回転駆動される。駆動ローラ１７ａと従動ローラ１７ｂとは、図示しない側板に回転自在に支持されている。レジストローラ対１７は、用紙３５の送り出しタイミングをステッピングモータ５５の駆動タイミングを変更することで調整可能であり、また用紙３５の送り出しタイミングを調整することで、印刷ドラム１Ａによる印刷位置の調整すなわち天地調整を行うことが可能となっている。ステッピングモータ５５は制御手段９０によって駆動され、その駆動タイミングもステッピングモータ５５によって調整される。レジストローラ対１７から用紙３５が送り出されたことは、図示しない用紙挿入センサにより検知されるようになっている。
【００５４】
搬送装置２１は、印刷ドラム１Ａと印刷ドラム１Ｂの間の用紙搬送経路を構成している。搬送装置２１は、図示しない筐体側板に回転自在に支持された搬送ローラ右としての駆動ローラ２６及び搬送ローラ左としての従動ローラ２７と、駆動ローラ２６及び従動ローラ２７に巻き掛けられ張設された多数の開孔を有する搬送ベルト２８と、搬送ベルト２８の内側に配置された吸着ファン２９とを備えている。
搬送ベルト２８の搬送面には吸着ファン２９の回転により発生する吸引力が作用している。吸引ファン２９は、制御手段９０が電流や電圧や通電波形などを変えることでその回転数が制御されるようになっている。
【００５５】
搬送装置２１はこのような構成であるので、印刷部１８Ａを通過し、分離爪７Ａ，７Ｂ及び気流発生手段１２０Ａ，１２０Ｂによってドラム外周面１Ａａ，１Ｂａから分離・剥離された用紙３５を搬送ベルト２８上に吸着して、用紙搬送方向Ｚの下流側、すなわち、印刷部１８Ｂや排紙トレイ４５へ向かって搬送するように構成されている。
【００５６】
排紙トレイ４５は、用紙搬送方向Ｚにおける印刷部１８Ｂの下流側に配設されている。排紙トレイ４５は、多数枚の印刷済みの用紙３５を積載できるようになっている。印刷部１８Ｂと排紙トレイ４５の間には、印刷済みの用紙３５の通過を検出する図示しない排紙チェックセンサが配設されており、印刷済みの用紙３５が排紙トレイ４５に排出されたことを検知するようになっている。
【００５７】
原稿読取装置４６は装置本体上部に配設されている。
原稿読取装置４６はＡＤＦ、ＣＣＤ等の光電変換素子からなる画像センサ、アナログ／デジタル変換基板等を有し、読み取った画像を画像センサにより光電変換し、この光電変換された電気信号を図示しないアナログ／デジタル変換基板に送信することによりデジタル画像信号に変換する周知の構成である。原稿読取装置により生成されたデジタル画像信号は、制御手段９０に送られる。
【００５８】
ドラム外周面１Ａａ，１Ｂａの長さは、ドラム外周面１Ａａ，１Ｂａからの用紙３５の分離、剥離位置の間のスパンの略３／４となっている。また、搬送装置２１による用紙３５の搬送速度は、印刷ドラム１Ａの回転速度Ｖ１と略等しい。このような長さ、速度の関係から、印刷ドラム１Ａによる印刷画像と印刷ドラム１Ｂによる印刷画像が用紙３５上において同じ位置を占めるように、印刷ドラム１Ｂの位相は、印刷ドラム１Ａの位相より、略１／３だけ遅れた関係すなわち略１２０°遅い方にずれた関係となっている。
【００５９】
図３に示すように、駆動力伝達手段４９は、印刷ドラム１Ａ，１Ｂ相互間の位相を調整可能な位相調整手段としての天地移動装置８０を有している。上述のような、印刷ドラム１Ｂの位相が印刷ドラム１Ａの位相より略１／３だけ遅れた関係は天地移動装置８０によって設定される。
天地移動装置８０は、印刷ドラム１Ａと印刷ドラム１Ｂとを互いに連結するベルトタイプのものである。
【００６０】
天地移動装置８０は、本体モータ８１と、印刷ドラム１Ａに備えられ印刷ドラム１Ａ本体と一体回転する第１版胴プーリとしてのプーリ８２Ａと、印刷ドラム１Ａ，１Ｂ間に配置されたスライダ８３と、スライダ８３の両端に回転自在に支持された移動プーリ８４，８４と、プーリ８２Ａに巻き掛けられた無端ベルトとしての歯付ベルトである連結ベルト８５と、プーリ８２Ａとともに連結ベルト８５を巻き掛けた第２版胴プーリとしてのプーリ８２Ｂと、移動プーリ８４，８４の近傍に位置し、スライダ８３の両側に配置されて連結ベルト８５を押圧する複数の固定プーリとしてのテンションローラ８６と、プーリ８２Ａ，８２Ｂの回転中心をなす軸５６，５７と、スライダ８３を変位させる図示しない天地移動モータとを有している。
【００６１】
本体モータは、軸５６を介してプーリ８２Ａに連結されており、制御手段９０により駆動されるようになっている。軸５６と印刷ドラム１Ａとプーリ８２Ａとは互いに固定されており、常に一体で回転する。
【００６２】
プーリ８２Ｂは、軸５７を介して印刷ドラム１Ｂに連結される。軸５７と印刷ドラム１Ｂとは互いに固定されており、常に一体で回転するが、軸５７とプーリ８２Ｂとは駆動遮断手段７０により一体で回転するか否かを制御されるようになっている。駆動遮断手段７０の詳細については後述する。
【００６３】
テンションローラ８６はそれぞれ、図示しない本体フレームに回転自在に支持されている。スライダ８３は、図３おいて矢印ａ，ｂで示す上下方向（以下「上下方向ａ，ｂ」と記す）に延設されていて、図示しない本体フレームにより上下方向ａ，ｂに移動可能に支持されている。スライダ８３は天地移動モータ８７により上下方向ａ，ｂに選択的に変位される。印刷ドラム１Ａは、本体モータ８１と直結されているので、天地移動モータ８７が駆動される画像調整時に、本体モータ８１が負荷となって固定側となる。天地移動モータ８７は制御手段９０により駆動されるようになっている。
【００６４】
天地移動装置８０はこのような構成であるから、駆動遮断手段７０が非作動の状態で、印刷ドラム１Ｂは、天地移動モータ８７の駆動により、スライダ８３が矢印ａ方向に移動すると時計回り方向に回転してその印刷位置が用紙搬送方向Ｚにおける下流側に移動し、スライダ８３が矢印ｂ方向に移動すると反時計回り方向に回転してその印刷位置が用紙搬送方向Ｚにおける上流側に移動する。また、、駆動遮断手段７０が非作動の状態で、本体モータ８１が駆動されると、印刷ドラム１Ａ，１Ｂが連動して同一方向すなわち時計回り方向に回転駆動される。
【００６５】
印刷ドラム１Ａと印刷ドラム１Ｂは、制御手段９０によって本体モータ８１の駆動が制御されることで、その回転速度や回転方向が制御される。回転速度は、速度調整キーの操作に基づいて制御される。回転速度の調整は、たとえば、雰囲気温度の変化に応じて行われるものであって、本形態では、極低速、低速、中速、高速の何れかが速度調整キーの操作によって選択されるようになっている。
【００６６】
プーリ８２Ａ，８２Ｂと、軸５６，５７と、移動プーリ８４，８４と、連結ベルト８５と、テンションローラ８６とは、本体モータ８１によって印刷ドラム１Ａに与えられた駆動力を印刷ドラム１Ｂに伝達して印刷ドラム１Ｂを駆動する駆動力伝達手段４９として機能している。また、駆動手段９０、速度調整キーは、印刷ドラム１Ａ及び印刷ドラム１Ｂの駆動速度を調整する駆動速度調整手段として機能する。
【００６７】
図４に示すように、駆動遮断手段７０は、プーリ８２Ｂに突設され軸５７を摺動自在に挿通されたボス７１と、ボス７１に対向し軸５７を固定した軸支持部７２と、軸支持部７２を軸７１の長手方向に往復駆動する軸駆動部７３とを有している。同図における左右方向は、図１における紙面垂直方向に一致している。なお図４においては、連結ベルト８５の図示を省略している。
【００６８】
軸支持部７２は、軸５７を挿通かつ固定しボス７１に係合する解除スライダ７４と、軸５７を挿通かつ固定し、ボス７１と反対側において解除スライダ７４に対向したフランジ７５と、軸５７を挿通かつ固定し解除スライダ７４とフランジ７５との間に位置する軸部７６と、軸部７６に突設されたピン７８とを有している。
軸支持部７２は、軸５７を介して、軸５７の長手方向すなわち図４における左右方向に、プーリ８２Ｂ及びボス７１によってスライド自在に支持されている。
【００６９】
軸駆動部７３は、一端がピン７８に回動自在に係合した解除レバー７９と、装置本体側に固設され解除レバー７９を回動自在に支持した支軸５８と、解除レバー７９の中央部に連結されたソレノイド５９と、解除レバー７９におけるソレノイド５９の連結部とピン７８の係合部との間において解除レバー７９を図における反時計方向に付勢する付勢部材としての、矢印で示したバネ６７とを有している。
【００７０】
ソレノイド５９は、通電により、バネ６７の付勢力に反して、解除レバー７９を、支軸５８を中心に図４における時計方向に回動させ、軸支持部７２を、図における右方向に駆動する。ソレノイド５９への通電は、制御手段９０によって制御される。
【００７１】
図５に示すように、ボス７１、解除スライダ７４は何れも、軸５７を中心とする円形をなしている。図示しないが、フランジ７５、軸部７６も同様である。
図５（ａ）に示すように、解除スライダ７４は、軸５７を中心とする十字形状の凸部７４ａを有している。同図（ｂ）に示すように、ボス７１は、軸５７を中心とする十字形状の凹部７１ａを有している。
【００７２】
凹部７１ａと凸部７４ａとは嵌合可能であり、凹部７１ａが凸部７４ａを受け入れて嵌合したとき、プーリ８２Ｂと軸５７とはガタなく滑らかに一体で回転し印刷ドラム１Ｂも一体で回転することとなり、凹部７１ａと凸部７４ａとの嵌合が解除されると、プーリ８２Ｂの回転は軸５７に伝達されず、印刷ドラム１Ｂは回転しない。
このように、凹部７１ａと凸部７４ａとは接離によって駆動の接続、断絶を行うクラッチ部を構成している。このようなクラッチ部としては、他の形態のものであっても良い。
【００７３】
ソレノイド５９に通電されていないときには、バネ６７の付勢力により、凹部７１ａと凸部７４ａとが嵌合し、ソレノイド５９に通電されると、凹部７１ａと凸部７４ａとの嵌合が解除される。
【００７４】
よって、駆動遮断手段７０は、ソレノイド５９に通電されたとき、駆動力伝達手段４９による、印刷ドラム１Ａに与えられた駆動力の、印刷ドラム１Ｂへの伝達を遮断し、印刷ドラム１Ａが回転しても印刷ドラム１Ｂが回転しない状態とする。制御手段９０は、駆動遮断手段７０が駆動力の伝達を遮断するか否かを制御するものとなっており、ここに制御手段９０は駆動遮断制御手段として機能しいる。なお、駆動力伝達手段４９は、上述したプーリ８２Ａ，８２Ｂ、軸５６，５７、移動プーリ８４，８４、連結ベルト８５、テンションローラの他、ボス７１、解除スライダ７４を含む。
【００７５】
操作パネル５１は装置本体上部に配設されている。
操作パネル５１には、原稿の画像読み取りから製版、給版、版付けに至るまでの一連の動作を開始させるための図示しない製版キー、試し刷り開始させるための図示しない試し刷りキー、印刷枚数などの数字を入力するテンキー５２、テンキー５２で入力される設定枚数に対する印刷動作を開始させるための図示しない印刷キー、１つの印刷ドラム１Ａを用いて印刷を行うシングル印刷モードか２つの印刷ドラム１Ａ，１Ｂを用いて印刷を行うタンデム印刷モードの何れかを設定する印刷モードキー５３、画像位置調整動作を開始させるための画像位置調整キーとしての位相調整キー５４、印刷速度を調整する図示しない速度調整キー、印刷枚数や印刷残枚数、選択された印刷ドラムの情報や印刷モード等を表示するための図示しない液晶表示装置で構成された図示しない表示部等が配置されている。
【００７６】
各キーによる入力信号は制御手段９０に送られる。たとえば、印刷モードキー５３によってシングル印刷モードを設定する入力が行われたとき、制御手段９０はこれを認識し、ソレノイド５９に通電し、印刷ドラム１Ａのみが回転される状態とする。
【００７７】
図２に示すように、制御手段９０は、ＣＰＵ９１、ＲＯＭ９２、ＲＡＭ９３等を備え、それらが図示しない信号バスによって接続された周知のマイクロコンピュータから主に構成されている。ＣＰＵ９１には、インターフェース９４を介して、本体モータ８１、天地移動モータ８７、排版装置８８Ａ，８８Ｂ、剥離手段４７Ａ，４７Ｂ、保持手段５Ａ，５Ｂ、駆動遮断手段７０、操作パネル５１の各種キーや表示部、原稿読取装置４６、その他、製版給版装置３Ａ，３Ｂ、給紙装置４、ドラム検知手段等が電気的にそれぞれ接続されている。ＲＯＭ９２には、所定のデータ、テーブル等が記録されている。
【００７８】
センサ１５に関し、制御手段９０においては、センサ１５からの検出信号に応じて用紙３５の大きさが判断され、また用紙３５の有無も判断される。製版給版装置３Ａ，３Ｂに関し、制御手段９０においては、サーマルヘッド３３Ａ，３３Ｂと、プラテンローラ３４Ａ，３４Ｂと、切断手段３５Ａ，３５Ｂと、マスタ搬送ローラ対３６Ａ，３６Ｂとの駆動制御等が行われる。給紙装置４に関し、制御手段９０においては、呼び出しコロ１１と、分離コロ１２と、レジストローラ対１７との駆動制御、給紙トレイ１０の昇降に関する制御等が行われる。
【００７９】
また制御手段９０においては、本体モータ８１の駆動制御、排版装置８８Ａ，８８Ｂにおける各制御、原稿読取装置における各制御、表示部への出力制御、天地移動モータの駆動制御等が行われる。これらの制御は、ＲＯＭ９３に記録された各種データに基づき、また操作パネル５１の入力等に基づき、ＲＡＭ９２を適宜使用する等しながらＣＰＵ９１によって行われる。
【００８０】
孔版印刷装置１００の動作について説明する。まず２つの印刷ドラム１Ａ，１Ｂを用いて印刷を行うタンデム印刷モードについて説明し、次に１つの印刷ドラム１Ａを用いて印刷を行うシングル印刷モードについて説明する。
【００８１】
タンデム印刷モードについて説明する。
タンデム印刷モードでは、印刷モードキー５３によってこのモードが設定されたときに、ドラム検知手段により、印刷ドラム１Ａ，１Ｂの何れか又は両方がないと検知されると、その旨を表示部に表示して印刷ドラム１Ａ，１Ｂの両方がセットされるまで待機する。
【００８２】
印刷ドラム１Ａ，１Ｂの両方が検知されているときには、操作者が原稿を原稿読取装置４６にセットして操作パネル５１において所定の設定を行い、製版キーを押下すると、制御手段９０により、排版を行うべく印刷ドラム１Ａの回転が行われ、排版装置８８Ａにより排版を行いこれが完了すると、読み取った原稿に基づいて製版給版装置３Ａにより製版を行うとともに給版が行われ、給版が完了する。
【００８３】
続いて、制御手段９０は、給紙装置４を駆動して給紙をスタートし、用紙挿入センサによりレジストローラ対１７から用紙３５が送り出されたことを検知すると、離間位置でのプレスローラ２Ａの保持を解除し、プレスローラ２Ａを、用紙３５の通過タイミングに合わせて押圧位置に移動させ、用紙３５への印刷を行う。印刷済みの用紙３５は分離爪７Ａ及び気流発生手段１２０Ａによって印刷ドラム１Ａ上のマスタ３１Ａから剥離される。印刷済みの用紙３５の通過を排紙チェックセンサによって検出すると、印刷ドラム１Ａの版付けが完了する。
【００８４】
このとき、プレスローラ２Ｂは離間位置に維持され、分離爪７Ｂ及び気流発生手段１２０Ｂは停止状態に維持される。よって、駆動の必要のないプレスローラ２Ｂ、分離爪７Ｂ及び気流発生手段１２０Ｂを駆動するためのエネルギーが節約される。
【００８５】
この後、必要に応じて、操作者は位置調整キーにより、ステッピングモータ５５の駆動開始タイミングを調整することで、印刷ドラム１Ａによる印刷位置を調整するとともに、調整後に試し刷りキーを押下することで試し刷りを行うことができる。
【００８６】
次に、排版を行うべく印刷ドラム１Ｂの回転が行われ、排版装置８８Ｂにより排版を行いこれが完了すると、読み取った原稿に基づいて製版給版装置３Ｂにより製版を行うとともに給版が行われ、給版が完了する。
【００８７】
続いて、制御手段９０は、給紙装置４を駆動して給紙をスタートし、用紙挿入センサによりレジストローラ対１７から用紙３５が送り出されたことを検知すると、離間位置でのプレスローラ２Ｂの保持を解除し、プレスローラ２Ｂを、用紙３５の通過タイミングに合わせて押圧位置に移動させ、用紙３５への印刷を行う。印刷済みの用紙３５は分離爪７Ｂ及び気流発生手段１２０Ｂによって印刷ドラム１Ｂ上のマスタ３１Ｂから剥離される。印刷済みの用紙３５の通過を排紙チェックセンサによって検出すると、印刷ドラム１Ｂの版付けが完了する。
【００８８】
このとき、プレスローラ２Ａは離間位置に維持され、分離爪７Ａ及び気流発生手段１２０Ａは停止状態に維持される。よって、駆動の必要のないプレスローラ２Ａ、分離爪７Ａ及び気流発生手段１２０Ａを駆動するためのエネルギーが節約される。
【００８９】
この後、必要に応じて、操作者は位相調整キー５４により、天地移動モータを駆動し、印刷ドラム１Ａに対する印刷ドラム２Ｂの位相を調整し、印刷ドラム１Ａによる印刷画像と印刷ドラム２Ｂによる印刷画像とを用紙３５上で一致させるとともに、調整後に試し刷りキーを押下することで試し刷りを行うことができる。
【００９０】
操作者がテンキー５２で印刷枚数を入力し、印刷キーを押下すると、制御手段９０は、印刷を開始し、印刷枚数をカウントしつつ、入力された印刷枚数に達するまで印刷を繰り返し、入力された枚数の印刷が完了すると、印刷を停止する。
タンデム印刷モードでは、ソレノイド５９への通電は停止状態に維持されている。
【００９１】
シングル印刷モードについて説明する。
シングル印刷モードでは、印刷モードキー５３によってこのモードが設定されたときに、ドラム検知手段により、印刷ドラム１Ａがないと検知されると、その旨を表示部に表示して印刷ドラム１Ａがセットされるまで待機する。
【００９２】
印刷ドラム１Ａが検知されているときには、ソレノイド５９への通電を行って駆動遮断手段７０を動作させて印刷ドラム１Ｂが非回転の状態とされる。操作者が原稿を原稿読取装置４６にセットして操作パネル５１において所定の設定を行い、製版キーを押下すると、制御手段９０により、排版を行うべく印刷ドラム１Ａの回転が行われ、排版装置８８Ａにより排版を行いこれが完了すると、読み取った原稿に基づいて製版給版装置３Ａにより製版を行うとともに給版が行われ、給版が完了する。
【００９３】
続いて、制御手段９０は、給紙装置４を駆動して給紙をスタートし、用紙挿入センサによりレジストローラ対１７から用紙３５が送り出されたことを検知すると、離間位置でのプレスローラ２Ａの保持を解除し、プレスローラ２Ａを、用紙３５の通過タイミングに合わせて押圧位置に移動させ、用紙３５への印刷を行う。印刷済みの用紙３５は分離爪７Ａ及び気流発生手段１２０Ａによって印刷ドラム１Ａ上のマスタ３１Ａから剥離される。印刷済みの用紙３５の通過を排紙チェックセンサによって検出すると、印刷ドラム１Ａの版付けが完了する。
【００９４】
このとき、駆動遮断手段７０が作動し、回転の必要のない印刷ドラム１Ｂの駆動が行われないため、本体モータ８１の駆動に要するエネルギーが節約される。また、シングル印刷モードでは、プレスローラ２Ｂは離間位置に維持され、分離爪７Ｂ及び気流発生手段１２０Ｂは停止状態に維持される。よって、駆動の必要のないプレスローラ２Ｂ、分離爪７Ｂ及び気流発生手段１２０Ｂを駆動するためのエネルギーが節約される。
【００９５】
この後、必要に応じて、操作者は位置調整キーにより、ステッピングモータ５５の駆動開始タイミングを調整することで、印刷ドラム１Ａによる印刷位置を調整するとともに、調整後に試し刷りキーを押下することで試し刷りを行うことができる。
【００９６】
操作者がテンキー５２で印刷枚数を入力し、印刷キーを押下すると、制御手段９０は、印刷を開始し、印刷枚数をカウントしつつ、入力された印刷枚数に達するまで印刷を繰り返し、入力された枚数の印刷が完了すると、印刷を停止する。
【００９７】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００９８】
例えば、本発明は、孔版印刷装置のみならず、他のタイプの印刷装置に適用することができる。版胴の数は、孔版印刷装置１００のように２つであるに限らず、例えば４つとしてフルカラー印刷を行うものであっても良い。片面印刷装置でなく、両面印刷装置であっても良い。押圧体はプレスローラでなく圧胴であっても良い。
【００９９】
上述の形態では、タンデム印刷モードの際に、駆動遮断手段を停止状態に維持したが、複数の版胴を用いて印刷を行う場合であっても、エネルギーの節約のため、排版、給版、版付けなどの際に駆動する必要のない版胴については、駆動遮断手段を作動させてもよい。
【０１００】
上述の形態では、片方の版胴への駆動力の伝達のみを遮断可能に構成したが、駆動遮断手段は、２つあるいは３つ以上の複数の版胴に含まれる１つ以上の版胴に対して適用することが可能であり、排版、給版、版付け、印刷などの際に駆動する必要のない版胴について、駆動遮断手段を作動させるようにすることができる。
【０１０１】
３つ以上の版胴が備えられているとき、駆動力伝達手段で連動可能な複数の版胴は、そのうちの一部であっても良い。
剥離手段が、上述の形態の分離爪、気流発生手段のように、１つの版胴に対して複数の手段を備えているときには、版胴の非作動状態に応じて作動を停止するのは、その何れか一方のみであっても良い。
印刷に用いるシートとしては、一般にコピー等に用いられる普通紙の他、カード、ハガキ等の厚紙や、封筒等の記録媒体、印刷媒体を用いることができる。
【０１０２】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１０３】
【図１】本発明を適用した印刷装置の概略を示す正面図である。
【図２】図１に示した印刷装置に搭載された制御手段の構成とこれにつながる各部のブロック図である。
【図３】図１に示した印刷装置に搭載された駆動力伝達手段、位相調整手段及び駆動遮断手段の概略を示す正面図である。
【図４】図３に示した駆動遮断手段の側面図である。
【図５】図３に示した駆動遮断手段に備えられたクラッチ部を構成する部品の正断面図である。
【符号の説明】
【０１０４】
１Ａ，１Ｂ    複数の版胴
２Ａ，２Ｂ    複数の押圧体
３１Ａ，３１Ｂ    孔版原紙
３５    シート
４９    駆動力伝達手段
４７Ａ，４７Ｂ    複数の剥離手段
７０    駆動遮断手段
８０    位置調整手段
９０    制御手段
１００    印刷装置
【図１】
2009018459.tif 000003
【図２】
2009018459.tif 000004
【図３】
2009018459.tif 000005
【図４】
2009018459.tif 000006
【図５】
2009018459.tif 000007